(57)【要約】  上部基板（第１の基板）（２）と、下部基板（第２の基板）（３）と、上部基板（２）及び下部基板（３）の間に形成された表示用空間（Ｓ）の内部で有効表示領域（Ｐ１）側または非有効表示領域（Ｐ２）側に移動可能に封入された導電性液体（１６）とを具備した表示素子（１０）において、有効表示領域（Ｐ１）側及び非有効表示領域（Ｐ２）側の一方側及び他方側にそれぞれ設置されるように、参照電極（５）及び走査電極（６）を下部基板（３）側に設ける。さらに、参照電極（５）及び走査電極（６）において、導電性液体（１６）の移動方向とは反対側の端部を切り欠く。
2010113352.tif 000002
【特許請求の範囲】
【請求項１】
表示面側に設けられた第１の基板と、所定の表示用空間が前記第１の基板との間に形成されるように、当該第１の基板の非表示面側に設けられた第２の基板と、前記表示用空間に対し、設定された有効表示領域及び非有効表示領域と、前記表示用空間の内部で前記有効表示領域側または前記非有効表示領域側に移動可能に封入された導電性液体とを具備し、前記導電性液体を移動させることにより、前記表示面側の表示色を変更可能に構成された表示素子であって、
前記導電性液体と接触するように、前記表示用空間の内部に設置されるとともに、所定の配列方向に沿って設けられた複数の信号電極、
前記有効表示領域側及び前記非有効表示領域側の一方側に設置されるように、前記導電性液体に対して電気的に絶縁された状態で、前記第１及び第２の基板の一方側に設けられるとともに、前記複数の信号電極と交差するように設けられた複数の参照電極、及び
前記有効表示領域側及び前記非有効表示領域側の他方側に設置されるように、前記導電性液体及び前記参照電極に対して電気的に絶縁された状態で、前記第１及び第２の基板の一方側に設けられるとともに、前記複数の信号電極と交差するように設けられた複数の走査電極を備え、
前記参照電極及び前記走査電極において、前記導電性液体の移動方向とは反対側の端部を切り欠いた、
ことを特徴とする表示素子。
【請求項２】
前記参照電極及び前記走査電極では、電圧が印加されていない場合での前記導電性液体の形状に基づいて、前記導電性液体の移動方向とは反対側の端部が切り欠かれている請求項１に記載の表示素子。
【請求項３】
前記参照電極及び前記走査電極では、前記導電性液体の移動方向とは反対側の端部が多角形状となるように、当該端部にＣカット部を形成した請求項１または２に記載の表示素子。
【請求項４】
前記参照電極及び前記走査電極では、前記導電性液体の移動方向とは反対側の端部が円弧状となるように、当該端部にＲカット部を形成した請求項１または２に記載の表示素子。
【請求項５】
複数の前記信号電極が、所定の配列方向に沿って設けられ、
複数の前記参照電極及び複数の前記走査電極が、互いに交互に、かつ、前記複数の信号電極と交差するように設けられ、
前記複数の信号電極に接続されるとともに、前記複数の各信号電極に対して、前記表示面側に表示される情報に応じて、所定の電圧範囲内の信号電圧を印加する信号電圧印加部と、
前記複数の参照電極に接続されるとともに、前記複数の各参照電極に対して、前記導電性液体が前記信号電圧に応じて、前記表示用空間の内部を移動するのを許容する選択電圧と、前記導電性液体が前記表示用空間の内部を移動するのを阻止する非選択電圧との一方の電圧を印加する参照電圧印加部と、
前記複数の走査電極に接続されるとともに、前記複数の各走査電極に対して、前記導電性液体が前記信号電圧に応じて、前記表示用空間の内部を移動するのを許容する選択電圧と、前記導電性液体が前記表示用空間の内部を移動するのを阻止する非選択電圧との一方の電圧を印加する走査電圧印加部とを備えている請求項１〜４のいずれか１項に記載の表示素子。
【請求項６】
複数の画素領域が、前記表示面側に設けられるとともに、
前記複数の各画素領域は、前記信号電極と前記走査電極との交差部単位に設けられ、かつ、前記各画素領域では、前記表示用空間が仕切壁にて区切られている請求項１〜５のいずれか１項に記載の表示素子。
【請求項７】
前記複数の画素領域は、前記表示面側でハニカム配列となるように、設置されている請求項６に記載の表示素子。
【請求項８】
前記複数の画素領域が、前記表示面側でフルカラー表示が可能な複数の色に応じてそれぞれ設けられている請求項６または７に記載の表示素子。
【請求項９】
前記表示用空間の内部には、前記導電性液体と混じり合わない絶縁性流体が当該表示用空間の内部を移動可能に封入されている請求項１〜８のいずれか１項に記載の表示素子。
【請求項１０】
前記参照電極及び前記走査電極の表面上には、誘電体層が積層されている請求項１〜９のいずれか１項に記載の表示素子。
【請求項１１】
前記非有効表示領域は、前記第１及び第２の基板の一方側に設けられた遮光膜によって設定され、
前記有効表示領域は、前記遮光膜に形成された開口部によって設定されている請求項１〜１０のいずれか１項に記載の表示素子。
【請求項１２】
前記開口部では、その開口形状は前記参照電極及び前記走査電極のうち、前記有効表示領域側に設けられた一方の電極の形状に基づいて、決定されている請求項１１に記載の表示素子。
【請求項１３】
文字及び画像を含んだ情報を表示する表示部を備えた電気機器であって、
前記表示部に、請求項１〜１２のいずれか１項に記載の表示素子を用いたことを特徴とする電気機器。
【発明の詳細な説明】
【技術分野】
【０００１】
本発明は、導電性液体を移動させることにより、画像や文字などの情報を表示する表示素子、及びこれを用いた電気機器に関する。
【背景技術】
【０００２】
近年、表示素子では、エレクトロウェッティング方式の表示素子に代表されるように、外部電界による導電性液体の移動現象を利用して、情報の表示を行うものが開発され、実用化されている。【０００３】
具体的にいえば、上記のような従来の表示素子では、例えば下記特許文献１に記載されているように、第１及び第２の電極と、第１及び第２の基板と、これら基板間に形成された表示用空間の内部に封入されるとともに、所定の色に着色された導電性液体としての着色液滴とが設けられている。そして、この従来の表示素子では、着色液滴に対し第１及び第２の電極を介在させて電界印加を行うことにより、着色液滴の形状を変化させて表示面側の表示色を変更するようになっていた。【０００４】
また、この従来の表示素子では、第１の基板上に、着色液滴に対して電気的に絶縁された状態で、第１及び第２の電極を並設するとともに、これらの第１及び第２の電極と対向するように、第２の基板側に第３の電極を設ける。さらに、第１の電極の上方に遮光用のシェードを設置することにより、第１の電極側及び第２の電極側をそれぞれ非有効表示領域側及び有効表示領域側に設定して、第１及び第３の電極間または第２及び第３の電極間に電位差が生じるように電圧印加を行うことが提案されている。そして、この従来の表示素子では、着色液滴の形状を変化させる場合に比べ、着色液滴を第１の電極側または第２の電極側に高速に移動させて、表示面側の表示色も高速に変更可能とされていた。
【先行技術文献】
【特許文献】
【０００５】
【特許文献１】特開２００４−２５２４４４号公報
【発明の概要】
【発明が解決しようとする課題】
【０００６】
しかしながら、上記のような従来の表示素子では、消費電力の削減を図ったときに、着色液滴（導電性液体）が不必要に移動して、表示品位が低下するという問題点を生じるおそれがあった。【０００７】
具体的にいえば、従来の表示素子では、表示単位（画素）毎に、第３の電極に対して、常にマイナス電位の電圧印加し、かつ、第１及び第２の電極の一方の電極に対して、プラス電位の電圧印加していた。そして、この従来の表示素子では、プラス電位を印加した第１の電極（非有効表示領域）側または第２の電極（有効表示領域）側に着色液滴（導電性液体）を移動させて、表示面側の表示色を明表示または暗表示としていた。このため、従来の表示素子では、表示面側の表示色に関わらず、電圧印加を常時行うことが要求されて、消費電力の削減を図ることは困難であった。【０００８】
また、従来の表示素子において、消費電力の削減を図るために、着色液滴を第１及び第２の電極の一方側に移動させた後、これら第１及び第２の電極への電圧印加を停止して、表示面側の表示色を明表示または暗表示とすることは可能である。しかしながら、この従来の表示素子では、第１及び第２の電極への電圧印加を停止した場合、着色液滴が不必要に移動して、表示品位が低下するという問題点を生じるおそれがあった。つまり、従来の表示素子では、第１及び第２の電極への電圧印加を停止した場合、着色液滴にエレクトロウェッティング現象が作用しなくなる。これにより、従来の表示素子では、着色液滴と第１の基板との界面張力が大きくなり、当該着色液滴は球状の形状に変化する。この結果、従来の表示素子では、着色液滴は不必要に移動して、表示品位が低下するという問題点を生じるおそれがあった。【０００９】
上記の課題を鑑み、本発明は、消費電力の削減を図ったときでも、導電性液体の不必要な移動を抑制することができる表示品位に優れた表示素子、及びこれを用いた電気機器を提供することを目的とする。
【課題を解決するための手段】
【００１０】
上記の目的を達成するために、本発明にかかる表示素子は、表示面側に設けられた第１の基板と、所定の表示用空間が前記第１の基板との間に形成されるように、当該第１の基板の非表示面側に設けられた第２の基板と、前記表示用空間に対し、設定された有効表示領域及び非有効表示領域と、前記表示用空間の内部で前記有効表示領域側または前記非有効表示領域側に移動可能に封入された導電性液体とを具備し、前記導電性液体を移動させることにより、前記表示面側の表示色を変更可能に構成された表示素子であって、
前記導電性液体と接触するように、前記表示用空間の内部に設置されるとともに、所定の配列方向に沿って設けられた複数の信号電極、
前記有効表示領域側及び前記非有効表示領域側の一方側に設置されるように、前記導電性液体に対して電気的に絶縁された状態で、前記第１及び第２の基板の一方側に設けられるとともに、前記複数の信号電極と交差するように設けられた複数の参照電極、及び
前記有効表示領域側及び前記非有効表示領域側の他方側に設置されるように、前記導電性液体及び前記参照電極に対して電気的に絶縁された状態で、前記第１及び第２の基板の一方側に設けられるとともに、前記複数の信号電極と交差するように設けられた複数の走査電極を備え、
前記参照電極及び前記走査電極において、前記導電性液体の移動方向とは反対側の端部を切り欠いたことを特徴とするものである。【００１１】
上記のように構成された表示素子では、参照電極及び走査電極において、導電性液体の移動方向とは反対側の端部が切り欠かれている。これにより、参照電極及び走査電極への電圧印加の有無に関わらず、導電性液体の形状を同じ形状とすることができる。この結果、エレクトロウェッティング現象が作用している場合と、エレクトロウェッティング現象が作用していない場合とにおいて、上記従来例と異なり、導電性液体の形状を同じ形状とすることができる。従って、上記従来例と異なり、消費電力の削減を図ったときでも、導電性液体の不必要な移動を抑制することができ、表示品位に優れた表示素子を構成することができる。【００１２】
また、上記表示素子において、前記参照電極及び前記走査電極では、電圧が印加されていない場合での前記導電性液体の形状に基づいて、前記導電性液体の移動方向とは反対側の端部が切り欠かれていることが好ましい。【００１３】
この場合、参照電極及び走査電極への電圧印加の有無に関わらず、導電性液体の形状をより確実に同じ形状とすることができ、当該導電性液体の移動をより確実に抑制することができる。【００１４】
また、上記表示素子において、前記参照電極及び前記走査電極では、前記導電性液体の移動方向とは反対側の端部が多角形状となるように、当該端部にＣカット部を形成してもよい。【００１５】
この場合、Ｃカット部によって参照電極及び走査電極への電圧印加の有無に関わらず、導電性液体の形状を同じ形状とすることができる。【００１６】
また、上記表示素子において、前記参照電極及び前記走査電極では、前記導電性液体の移動方向とは反対側の端部が円弧状となるように、当該端部にＲカット部を形成してもよい。【００１７】
この場合、Ｒカット部によって参照電極及び走査電極への電圧印加の有無に関わらず、導電性液体の形状を同じ形状とすることができる。【００１８】
また、上記表示素子において、複数の前記信号電極が、所定の配列方向に沿って設けられ、
複数の前記参照電極及び複数の前記走査電極が、互いに交互に、かつ、前記複数の信号電極と交差するように設けられ、
前記複数の信号電極に接続されるとともに、前記複数の各信号電極に対して、前記表示面側に表示される情報に応じて、所定の電圧範囲内の信号電圧を印加する信号電圧印加部と、
前記複数の参照電極に接続されるとともに、前記複数の各参照電極に対して、前記導電性液体が前記信号電圧に応じて、前記表示用空間の内部を移動するのを許容する選択電圧と、前記導電性液体が前記表示用空間の内部を移動するのを阻止する非選択電圧との一方の電圧を印加する参照電圧印加部と、
前記複数の走査電極に接続されるとともに、前記複数の各走査電極に対して、前記導電性液体が前記信号電圧に応じて、前記表示用空間の内部を移動するのを許容する選択電圧と、前記導電性液体が前記表示用空間の内部を移動するのを阻止する非選択電圧との一方の電圧を印加する走査電圧印加部とを備えていることが好ましい。【００１９】
この場合、優れた表示品位を有するマトリクス駆動方式の表示素子を構成することができる。【００２０】
また、上記表示素子において、複数の画素領域が、前記表示面側に設けられるとともに、
前記複数の各画素領域は、前記信号電極と前記走査電極との交差部単位に設けられ、かつ、前記各画素領域では、前記表示用空間が仕切壁にて区切られてもよい。【００２１】
この場合、表示面側の複数の各画素において導電性液体を移動させることにより、表示面側での表示色を画素単位に変更することができる。【００２２】
また、上記表示素子において、前記複数の画素領域は、前記表示面側でハニカム配列となるように、設置されてもよい。【００２３】
この場合、画素領域での上記有効表示領域の割合を容易に大きくすることができる。【００２４】
また、上記表示素子において、前記複数の画素領域が、前記表示面側でフルカラー表示が可能な複数の色に応じてそれぞれ設けられてもよい。【００２５】
この場合、複数の各画素において対応する導電性液体が適切に移動されることにより、カラー画像表示を行うことができる。【００２６】
また、上記表示素子において、前記表示用空間の内部には、前記導電性液体と混じり合わない絶縁性流体が当該表示用空間の内部を移動可能に封入されていることが好ましい。【００２７】
この場合、導電性液体の移動速度の高速化を容易に図ることができる。【００２８】
また、上記表示素子において、前記参照電極及び前記走査電極の表面上には、誘電体層が積層されていることが好ましい。【００２９】
この場合、誘電体層が導電性液体に印加する電界を確実に大きくして、当該導電性液体の移動速度をより容易に向上することができる。【００３０】
また、上記表示素子において、前記非有効表示領域は、前記第１及び第２の基板の一方側に設けられた遮光膜によって設定され、
前記有効表示領域は、前記遮光膜に形成された開口部によって設定されてもよい。【００３１】
この場合、表示用空間に対し、有効表示領域及び非有効表示領域を適切に、かつ、確実に設定することができる。【００３２】
また、上記表示素子において、前記開口部では、その開口形状は前記参照電極及び前記走査電極のうち、前記有効表示領域側に設けられた一方の電極の形状に基づいて、決定されていることが好ましい。【００３３】
この場合、上記一方の電極の形状に基づき開口形状を決定していない場合に比べて、上記遮光膜での開口部の開口形状を適切に決定することができる。【００３４】
また、本発明の電気機器は、文字及び画像を含んだ情報を表示する表示部を備えた電気機器であって、
前記表示部に、上記いずれかの表示素子を用いたことを特徴とするものである。【００３５】
上記のように構成された電気機器では、消費電力の削減を図ったときでも、導電性液体の不必要な移動を抑制することができる表示品位に優れた表示素子が表示部に用いられているので、優れた表示品位を有する表示部を備えた高性能な電気機器を容易に構成することができる。
【発明の効果】
【００３６】
本発明によれば、消費電力の削減を図ったときでも、導電性液体の不必要な移動を抑制することができる表示品位に優れた表示素子、及びこれを用いた電気機器を提供することが可能となる。
【図面の簡単な説明】
【００３７】
【図１】図１は、本発明の第１の実施形態にかかる表示素子、及び画像表示装置を説明する平面図である。
【図２】図２は、表示面側から見た場合での図１に示した上部基板側の要部構成を示す拡大平面図である。
【図３】図３は、非表示面側から見た場合での図１に示した下部基板側の要部構成を示す拡大平面図である。
【図４】図４（ａ）及び図４（ｂ）は、それぞれ非ＣＦ着色表示時及びＣＦ着色表示時における、図１に示した表示素子の要部構成を示す断面図である。
【図５】図５は、上記画像表示装置の動作例を説明する図である。
【図６】図６は上記表示素子の画素領域での動作例を説明する図であり、図６（ａ）は画素領域での電極構成を説明する図であり、図６（ｂ）は各電極に電圧が印加されている場合での導電性液体の状態を説明する図であり、図６（ｃ）は各電極に電圧が印加されていない場合での導電性液体の状態を説明する図である。
【図７】図７は、本発明の第２の実施形態にかかる表示素子において、非表示面側から見た場合での下部基板側の要部構成を示す拡大平面図である。
【図８】図８は、図７に示した表示素子の画素領域での動作例を説明する図であり、図８（ａ）は画素領域での電極構成を説明する図であり、図８（ｂ）は各電極に電圧が印加されている場合での導電性液体の状態を説明する図であり、図８（ｃ）は各電極に電圧が印加されていない場合での導電性液体の状態を説明する図である。
【図９】図９は、本発明の第３の実施形態にかかる表示素子において、表示面側から見た場合での上部基板側の要部構成を示す拡大平面図である。
【図１０】図１０は、本発明の第３の実施形態にかかる表示素子において、非表示面側から見た場合での下部基板側の要部構成を示す拡大平面図である。
【図１１】図１１は図９に示した表示素子でのハニカム配列の効果を説明する図であり、図１１（ａ）は図２に示した表示素子での画素領域の平面図であり、図１１（ｂ）は図９に示した表示素子での画素領域の平面図である。
【図１２】図１２は、本発明の第４の実施形態にかかる表示素子において、非表示面側から見た場合での下部基板側の要部構成を示す拡大平面図である。
【発明を実施するための形態】
【００３８】
以下、本発明の表示素子及び電気機器の好ましい実施形態について、図面を参照しながら説明する。尚、以下の説明では、カラー画像表示を表示可能な表示部を備えた画像表示装置に本発明を適用した場合を例示して説明する。また、各図中の構成部材の寸法は、実際の構成部材の寸法及び各構成部材の寸法比率等を忠実に表したものではない。
【００３９】
［第１の実施形態］
図１は、本発明の第１の実施形態にかかる表示素子、及び画像表示装置を説明する平面図である。図１において、本実施形態の画像表示装置１では、本発明の表示素子１０を用いた表示部が設けられており、この表示部には矩形状の表示面が構成されている。すなわち、表示素子１０は、図１の紙面に垂直な方向で互いに重ね合うように配置された上部基板２及び下部基板３を備えており、これらの上部基板２と下部基板３との重なり部分によって上記表示面の有効表示領域が形成されている（詳細は後述。）。
【００４０】
また、表示素子１０では、複数の信号電極４が互いに所定の間隔をおいて、かつ、Ｘ方向に沿ってストライプ状に設けられている。また、表示素子１０では、複数の参照電極５及び複数の走査電極６が、互いに交互に、かつ、Ｙ方向に沿ってストライプ状に設けられている。これら複数の信号電極４と、複数の参照電極５及び複数の走査電極６とは、互いに交差するように設けられており、表示素子１０では、信号電極４と走査電極６との交差部単位に、複数の各画素領域が設定されている。
【００４１】
また、これら複数の信号電極４、複数の参照電極５、及び複数の走査電極６は、互いに独立して、第１の電圧としてのＨｉｇｈ電圧（以下、“Ｈ電圧”という。）と、第２の電圧としてのＬｏｗ電圧（以下、“Ｌ電圧”という。）との間の所定の電圧範囲内の電圧が印加可能に構成されている（詳細は後述。）。
【００４２】
さらに、表示素子１０では、後に詳述するように、上記複数の各画素領域が仕切壁にて区切られるとともに、複数の画素領域が、上記表示面側でフルカラー表示が可能な複数の色に応じてそれぞれ設けられている。そして、表示素子１０では、マトリクス状に設けられた複数の画素（表示セル）毎に、エレクトロウェッティング現象にて後述の導電性液体を移動させ、表示面側での表示色を変更するようになっている。
【００４３】
また、複数の信号電極４、複数の参照電極５、及び複数の走査電極６では、各々一端部側が表示面の有効表示領域の外側に引き出されて、端子部４ａ、５ａ、及び６ａが形成されている。
【００４４】
複数の信号電極４の各端子部４ａには、配線７ａを介して信号ドライバ７が接続されている。信号ドライバ７は、信号電圧印加部を構成するものであり、画像表示装置１が文字及び画像を含んだ情報を表示面に表示する場合に、複数の各信号電極４に対して、情報に応じた信号電圧Ｖｄを印加するように構成されている。
【００４５】
また、複数の参照電極５の各端子部５ａには、配線８ａを介して参照ドライバ８が接続されている。参照ドライバ８は、参照電圧印加部を構成するものであり、画像表示装置１が文字及び画像を含んだ情報を表示面に表示する場合に、複数の各参照電極５に対して、参照電圧Ｖｒを印加するように構成されている。
【００４６】
また、複数の走査電極６の各端子部６ａには、配線９ａを介して走査ドライバ９が接続されている。走査ドライバ９は、走査電圧印加部を構成するものであり、画像表示装置１が文字及び画像を含んだ情報を表示面に表示する場合に、複数の各走査電極６に対して、走査電圧Ｖｓを印加するように構成されている。
【００４７】
また、走査ドライバ９では、複数の各走査電極６に対して、上記導電性液体が移動するのを阻止する非選択電圧と、導電性液体が信号電圧Ｖｄに応じて移動するのを許容する選択電圧との一方の電圧を走査電圧Ｖｓとして印加するようになっている。また、参照ドライバ８は、走査ドライバ９の動作を参照して動作するように構成されており、参照ドライバ８は、複数の各参照電極５に対して、上記導電性液体が移動するのを阻止する非選択電圧と、導電性液体が信号電圧Ｖｄに応じて移動するのを許容する選択電圧との一方の電圧を参照電圧Ｖｒとして印加するようになっている。
【００４８】
そして、画像表示装置１では、走査ドライバ９が例えば図１の左側から右側の各走査電極６に対し、選択電圧を順次印加し、かつ、参照ドライバ８が走査ドライバ９の動作に同期して図１の左側から右側の各走査電極６に対し、選択電圧を順次印加することにより、ライン毎の走査動作が行われるように構成されている（詳細は後述。）。
【００４９】
また、信号ドライバ７、参照ドライバ８、及び走査ドライバ９には、直流電源または交流電源が含まれており、対応する信号電圧Ｖｄ、参照電圧Ｖｒ、及び走査電圧Ｖｓを供給するようになっている。
【００５０】
また、参照ドライバ８は、参照電圧Ｖｒの極性を所定の時間（例えば、１フレーム）毎に切り替えるように構成されている。さらに、走査ドライバ９は、参照電圧Ｖｒの極性の切り替えに対応して、走査電圧Ｖｓの各極性を切り替えるように構成されている。このように、参照電圧Ｖｒ及び走査電圧Ｖｓの各極性が所定の時間毎に切り替えられるので、参照電極５及び走査電極６に対して常時同じ極性の電圧を印加するときに比べて、これらの参照電極５及び走査電極６での電荷の局在化を防ぐことができる。さらに、電荷の局在化に起因する表示不良（残像現象）や信頼性（寿命低下）の悪影響を防止することができる。
【００５１】
ここで、図２〜図４も参照して、表示素子１０の画素構造について具体的に説明する。
【００５２】
図２は表示面側から見た場合での図１に示した上部基板側の要部構成を示す拡大平面図であり、図３は非表示面側から見た場合での図１に示した下部基板側の要部構成を示す拡大平面図である。図４（ａ）及び図４（ｂ）は、それぞれ非ＣＦ着色表示時及びＣＦ着色表示時における、図１に示した表示素子の要部構成を示す断面図である。なお、図２及び図３では、図面の簡略化のために、上記表示面に設けられた複数の画素のうち、図１の左上端部に配設された１２個の画素を図示している（後掲の図７、図９、図１０、及び図１２においても、同様。）。
【００５３】
図２〜図４において、表示素子１０は、表示面側に設けられた第１の基板としての上記上部基板２と、上部基板２の背面側（非表示面側）に設けられた第２の基板としての上記下部基板３とを備えている。また、表示素子１０では、上部基板２と下部基板３が互いに所定の間隔をおいて配置されることにより、これら上部基板２及び下部基板３の間に所定の表示用空間Ｓが形成されている。また、この表示用空間Ｓの内部には、上記導電性液体１６及びこの導電性液体１６と混じり合わない絶縁性のオイル１７が当該表示用空間Ｓの内部で上記Ｘ方向（図４の左右方向）に移動可能に封入されており、導電性液体１６は後述の有効表示領域Ｐ１側または非有効表示領域Ｐ２側に移動できるようになっている。
【００５４】
導電性液体１６には、例えば溶媒としての水と、溶質としての所定の電解質を含んだ水溶液が用いられている。具体的には、例えば１ｍｍｏｌ／Ｌの塩化カリウム（ＫＣｌ）の水溶液が導電性液体１６に用いられている。また、導電性液体１６には、例えば自己分散型顔料によって黒色に着色されたものが使用されている。
【００５５】
また、導電性液体１６は黒色に着色されているので、当該導電性液体１６は、各画素において、光の透過を許容または阻止するシャッターとして機能するようになっている。つまり、表示素子１０の各画素では、後に詳述するように、導電性液体１６が表示用空間Ｓの内部を参照電極５側（有効表示領域Ｐ１側）または走査電極６側（非有効表示領域Ｐ２側）にスライド移動することによって表示色が黒色またはＲＧＢのいずれかの色に変更されるよう構成されている。
【００５６】
また、オイル１７には、例えば側鎖高級アルコール、側鎖高級脂肪酸、アルカン炭化水素、シリコーンオイル、マッチングオイルから選択された１種または複数種からなる無極性で、かつ、無色透明なオイルが用いられている。また、このオイル１７は、導電性液体１６のスライド移動に伴って、表示用空間Ｓの内部を移動するようになっている。
【００５７】
上部基板２には、無アルカリガラス基板などの透明なガラス材またはアクリル系樹脂などの透明な合成樹脂等の透明な透明シート材が用いられている。また、上部基板２の非表示面側の表面には、カラーフィルタ層１１及び信号電極４が順次形成されており、さらにはカラーフィルタ層１１及び信号電極４を覆うように撥水膜１２が設けられている。
【００５８】
また、下部基板３には、上部基板２と同様に、無アルカリガラス基板などの透明なガラス材またはアクリル系樹脂などの透明な合成樹脂等の透明な透明シート材が用いられている。また、下部基板３の表示面側の表面には、上記参照電極５及び上記走査電極６が設けられており、さらに、これらの参照電極５及び走査電極６を覆うように、誘電体層１３が形成されている。また、この誘電体層１３の表示面側の表面には、Ｙ方向及びＸ方向にそれぞれ平行となるように設けられたリブ１４ａ及び１４ｂが設けられている。さらに、下部基板３では、誘電体層１３及びリブ１４ａ、１４ｂを覆うように、撥水膜１５が設けられている。
【００５９】
また、下部基板３の背面側（非表示面側）には、例えば白色の照明光を発光するバックライト１８が一体的に組み付けられており、透過型の表示素子１０が構成されている。尚、バックライト１８には、冷陰極蛍光管やＬＥＤなどの光源が用いられている。
【００６０】
カラーフィルタ（Color Filter）層１１には、赤色（Ｒ）、緑色（Ｇ）、及び青色（Ｂ）のカラーフィルタ部１１ｒ、１１ｇ、及び１１ｂと、遮光膜としてのブラックマトリクス部１１ｓとが設けられており、ＲＧＢの各色の画素を構成するようになっている。つまり、カラーフィルタ層１１では、図２に例示するように、ＲＧＢのカラーフィルタ部１１ｒ、１１ｇ、１１ｂがＸ方向に沿って順次設けられるとともに、各々４つのカラーフィルタ部１１ｒ、１１ｇ、１１ｂがＹ方向に沿って設けられており、Ｘ方向及びＹ方向にそれぞれ３個及び４個、合計１２個の画素が配設されている。
【００６１】
また、表示素子１０では、図２に例示するように、各画素領域Ｐにおいて、画素の有効表示領域Ｐ１に対応する箇所にＲＧＢのいずれかのカラーフィルタ部１１ｒ、１１ｇ、及び１１ｂが設けられ、非有効表示領域Ｐ２に対応する箇所にブラックマトリクス部１１ｓが設けられている。つまり、表示素子１０では、上記表示用空間Ｓに対し、ブラックマトリクス部（遮光膜）１１ｓによって非有効表示領域Ｐ２（非開口部）が設定され、そのブラックマトリクス部１１ｓに形成された開口部（つまり、いずれかのカラーフィルタ部１１ｒ、１１ｇ、及び１１ｂ）によって有効表示領域Ｐ１が設定されている。
【００６２】
また、表示素子１０では、カラーフィルタ部１１ｒ、１１ｇ、１１ｂの各面積は、有効表示領域Ｐ１の面積に対し、同一または若干大きい値が選択されている。一方、ブラックマトリクス部１１ｓの面積は、非有効表示領域Ｐ２の面積に対し、同一または若干小さい値が選択されている。尚、図２では、隣接する画素の境界部を明確にするために、隣接する画素に応じた２つのブラックマトリクス部１１ｓ間の境界線を点線にて示しているが、実際のカラーフィルタ層１１では、ブラックマトリクス部１１ｓ間の境界線は存在しない。
【００６３】
さらに、表示素子１０では、図２に例示するように、上記開口部の開口形状（有効表示領域Ｐ１の形状）は、五角形の形状に構成されている。この開口部の開口形状は、参照電極５及び走査電極６のうち、有効表示領域Ｐ１側に設けられた参照電極５の形状に基づいて、決定されている（詳細は後述。）。
【００６４】
また、表示素子１０では、上記仕切壁としてのリブ１４ａ、１４ｂにより表示用空間Ｓが画素領域Ｐ単位に区切られている。すなわち、表示素子１０では、各画素の表示用空間Ｓは、図３に例示するように、互いに対向する２つのリブ１４ａと、互いに対向する２つのリブ１４ｂとによって区画されている。さらに、表示素子１０では、リブ１４ａ、１４ｂによって導電性液体１６が隣接する画素領域Ｐの表示用空間Ｓの内部に流入するのが防がれている。すなわち、リブ１４ａ、１４ｂには、例えば光硬化性樹脂が用いられており、これらのリブ１４ａ、１４ｂでは、隣接する画素間で導電性液体１６の流入出が防止されるように、誘電体層１３からの突出高さが決定されている。
【００６５】
尚、上記の説明以外に、リブ１４ａ、１４ｂに代えて、例えば下部基板３上で枠状に構成されたリブを画素単位に設けてもよい。また、隣接する画素領域Ｐどうしが気密に区切られるように、上記枠状に構成されたリブの先端部を上部基板２側に密接させてもよい。このようにリブの先端部を上部基板２側に密接させた場合には、当該リブを貫通するように信号電極４を設けることで表示用空間Ｓの内部に信号電極４を設置すればよい。
【００６６】
撥水膜１２、１５には、透明な合成樹脂、好ましくは電圧印加時に導電性液体１６に対し親水層となる、例えばフッ素系樹脂が使用されている。これにより、表示素子１０では、上部基板２及び下部基板３の表示用空間Ｓ側の各表面側での導電性液体１６との間の濡れ性（接触角）を大きく変化させることができ、導電性液体１６の移動速度の高速化を図ることができる。また、誘電体層１３は、例えばパリレンや窒化シリコン、酸化ハフニウム、酸化亜鉛、二酸化チタン、あるいは酸化アルミニウムを含有した透明な誘電体膜によって構成されている。尚、各撥水膜１２、１５の具体的な厚さ寸法は、数十ｎｍ〜数μｍであり、誘電体層１３の具体的な厚さ寸法は、数百ｎｍである。また、撥水膜１２は、信号電極４と導電性液体１６とを電気的に絶縁することはなく、導電性液体１６の応答性向上を阻害しないようになっている。
【００６７】
参照電極５及び走査電極６には、酸化インジウム系（ＩＴＯ）、酸化スズ系（ＳｎＯ2）、または酸化亜鉛系（ＡＺＯ、ＧＺＯ、あるいはＩＺＯ）などの透明な電極材料が用いられている。これらの各参照電極５及び各走査電極６は、スパッタ法等の公知の成膜方法により、下部基板３上に略帯状に形成されている。
【００６８】
具体的にいえば、図３に例示するように、参照電極５及び走査電極６では、電圧が印加されていない場合での導電性液体１６の形状に基づいて、導電性液体１６の移動方向とは反対側の端部が切り欠かれている。すなわち、図３に示すように、参照電極５は、帯状の電極本体５ｂと、各画素領域Ｐに設けられるとともに、同図３の左側の端部に形成されたＣカット部５ｃ、５ｄを備えている。これらのＣカット部５ｃ、５ｄは、図３の左側の端部、つまり導電性液体１６の移動方向とは反対側の端部が多角形状となるように、当該端部に形成されており、各Ｃカット部５ｃ、５ｄでの切欠形状は、電圧が印加されていない場合での導電性液体１６の形状を基に定められたものである。そして、参照電極５では、画素領域Ｐでの形状がＣカット部５ｃ、５ｄを有する台形状の左側の端部と、長方形状の電極本体５ｂとを組み合わせた形状に構成されている。
【００６９】
また、図２に示したように、上記開口部の開口形状（有効表示領域Ｐ１の形状）は、各画素領域Ｐでの参照電極５の形状に基づき定められており、同図２の左端部側（導電性液体１６の移動方向とは反対側）に頂点を有する、五角形の形状に構成されている。
【００７０】
同様に、走査電極６は、帯状の電極本体６ｂと、各画素領域Ｐに設けられるとともに、同図３の右側の端部に形成されたＣカット部６ｃ、６ｄを備えている。これらのＣカット部６ｃ、６ｄは、図３の右側の端部、つまり導電性液体１６の移動方向とは反対側の端部が多角形状となるように、当該端部に形成されており、各Ｃカット部６ｃ、６ｄでの切欠形状は、電圧が印加されていない場合での導電性液体１６の形状を基に定められたものである。そして、走査電極６では、画素領域Ｐでの形状がＣカット部６ｃ、６ｄを有する台形状の左側の端部と、長方形状の電極本体６ｂとを組み合わせた形状に構成されている。
【００７１】
信号電極４には、Ｘ方向に平行となるように配置された線状配線が用いられている。また、信号電極４は、カラーフィルタ層１１上で、各画素領域ＰのＹ方向でのほぼ中心部を通るように設置されており、撥水膜１２を介して導電性液体１６に電気的に接触するように構成されている。これにより、表示素子１０では、表示動作時での導電性液体１６の応答性の向上が図られている。
【００７２】
また、この信号電極４には、導電性液体１６に対して電気化学的に不活性な材料が使用されており、当該信号電極４に上記信号電圧Ｖｄ（例えば、４０Ｖ）が印加されたときでも、導電性液体１６と電気化学反応を極力生じないように構成されている。これにより、信号電極４の電気分解の発生を防いで、表示素子１０の信頼性及び寿命を向上させることができる。
【００７３】
具体的にいえば、信号電極４には、金、銀、銅、白金、及びパラジウムの少なくとも一つを含んだ電極材料が用いられている。また、信号電極４は、上記金属材料からなる細線をカラーフィルタ層１１上に固定したり、スクリーン印刷法などを用いて、カラーフィルタ層１１上に金属材料を含んだ導電性ペースト材などのインク材を載置したりすることで形成されている。
【００７４】
さらに、信号電極４では、その形状が画素の有効表示領域Ｐ１の下方に設けられた参照電極５の透過率を用いて、定められている。具体的にいえば、信号電極４では、７５％〜９５％程度の参照電極５の透過率に基づき、有効表示領域Ｐ１の面積に対し、当該有効表示領域Ｐ１上での信号電極４の占有面積が３０％以下、好ましくは１０％以下、より好ましくは５％以下となるように、信号電極４の形状は決定されている。
【００７５】
上記のように構成された表示素子１０の各画素では、図４（ａ）に例示するように、導電性液体１６がカラーフィルタ部１１ｒと参照電極５との間で保持されると、バックライト１８からの光が導電性液体１６により遮光されて、黒色表示（非ＣＦ着色表示）が行われる。一方、図４（ｂ）に例示するように、導電性液体１６がブラックマトリクス部１１ｓと走査電極６との間で保持されると、バックライト１８からの光は導電性液体１６に遮光されることなく、カラーフィルタ部１１ｒを通過することにより、赤色表示（ＣＦ着色表示）が行われる。
【００７６】
ここで、上記のように構成された本実施形態の画像表示装置１の表示動作について、図５及び図６も参照して具体的に説明する。
【００７７】
まず図５を用いて、画像表示装置１での基本的な動作について説明する。
【００７８】
図５は、上記画像表示装置の動作例を説明する図である。
【００７９】
図５において、参照ドライバ８及び走査ドライバ９は、例えば同図の左側から右側に向かう所定の走査方向で、参照電極５及び走査電極６に対して、それぞれ参照電圧Ｖｒ及び走査電圧Ｖｓとして上記選択電圧を順次印加する。具体的には、参照ドライバ８及び走査ドライバ９は、参照電極５及び走査電極６に対して、選択電圧としてＨ電圧（第１の電圧）及びＬ電圧（第２の電圧）をそれぞれ順次印加して選択ラインとする走査動作を行う。また、この選択ラインでは、信号ドライバ７は外部からの画像入力信号に応じて、対応する信号電極４に対して、Ｈ電圧またはＬ電圧を信号電圧Ｖｄとして印加する。これにより、選択ラインの各画素では、導電性液体１６が有効表示領域Ｐ１側または非有効表示領域Ｐ２側に移動されて、表示面側の表示色が変更される。
【００８０】
一方、非選択ライン、つまり残り全ての参照電極５及び走査電極６に対しては、参照ドライバ８及び走査ドライバ９は、それぞれ参照電圧Ｖｒ及び走査電圧Ｖｓとして上記非選択電圧を印加する。具体的には、参照ドライバ８及び走査ドライバ９は、残り全ての参照電極５及び走査電極６に対して、非選択電圧として、例えば上記Ｈ電圧とＬ電圧の中間の電圧である中間電圧（Ｍｉｄｄｌｅ電圧、以下、“Ｍ電圧”という。）を印加する。これにより、非選択ラインの各画素では、導電性液体１６が有効表示領域Ｐ１側または非有効表示領域Ｐ２側で不必要な変動を生じることなく静止され、表示面側の表示色が変更されない。
【００８１】
上記のような表示動作を行う場合、参照電極５、走査電極６、及び信号電極４への印加電圧の組み合わせは、表１に示されるものとなる。さらに、導電性液体１６の挙動及び表示面側の表示色は、表１に示すように、印加電圧に応じたものとなる。なお、表１では、Ｈ電圧、Ｌ電圧、及びＭ電圧をそれぞれ“Ｈ”、“Ｌ”、及び“Ｍ”にて略記している（後掲の表２でも同様。）。また、Ｈ電圧、Ｌ電圧、及びＭ電圧の具体的な値は、それぞれ例えば＋１６Ｖ、０Ｖ、及び＋８Ｖである。
【００８２】
【表１】
2010113352.tif 000003
【００８３】
＜選択ラインでの動作＞
選択ラインでは、信号電極４に対して例えばＨ電圧が印加されているときでは、参照電極５と信号電極４との間では、共にＨ電圧が印加されているので、これらの参照電極５と信号電極４との間には、電位差が生じていない。一方、信号電極４と走査電極６との間では、走査電極６に対して、Ｌ電圧が印加されているので、電位差が生じている状態となる。このため、導電性液体１６は、信号電極４に対して、電位差が生じている走査電極６側に表示用空間Ｓの内部を移動する。この結果、導電性液体１６は、図４（ｂ）に例示したように、非有効表示領域Ｐ２側に移動した状態となり、オイル１７を参照電極５側に移動させて、バックライト１８からの照明光がカラーフィルタ部１１ｒに達するのを許容する。これにより、表示面側での表示色は、カラーフィルタ部１１ｒによる赤色表示（ＣＦ着色表示）の状態となる。また、画像表示装置１では、隣接するＲＧＢの３つの全画素において、それらの導電性液体１６が非有効表示領域Ｐ２側に移動して、ＣＦ着色表示が行われたときに、当該ＲＧＢの画素からの赤色光、緑色光、及び青色光が白色光に混色して、白色表示が行われる。
【００８４】
一方、選択ラインにおいて、信号電極４に対してＬ電圧が印加されているときでは、参照電極５と信号電極４との間では、電位差が生じ、信号電極４と走査電極６との間には、電位差が生じていない。従って、導電性液体１６は、信号電極４に対して、電位差が生じている参照電極５側に表示用空間Ｓの内部を移動する。この結果、導電性液体１６は、図４（ａ）に例示したように、有効表示領域Ｐ１側に移動した状態となり、バックライト１８からの照明光がカラーフィルタ部１１ｒに達するのを阻止する。これにより、表示面側での表示色は、導電性液体１６による黒色表示（非ＣＦ着色表示）の状態となる。
【００８５】
＜非選択ラインでの動作＞
非選択ラインでは、信号電極４に対して例えばＨ電圧が印加されているときでは、導電性液体１６は現状の位置に静止した状態で維持されて、現状の表示色で維持される。すなわち、参照電極５及び走査電極６の双方に対して、Ｍ電圧が印加されているので、参照電極５と信号電極４との間の電位差及び走査電極６と信号電極４との間の電位差は、共に同じ電位差が生じるからである。この結果、表示色は、現状の黒色表示またはＣＦ着色表示から変更されずに維持される。
【００８６】
同様に、非選択ラインにおいて、信号電極４に対してＬ電圧が印加されているときでも、導電性液体１６は現状の位置に静止した状態で維持されて、現状の表示色で維持される。すなわち、参照電極５及び走査電極６の双方に対して、Ｍ電圧が印加されているので、参照電極５と信号電極４との間の電位差及び走査電極６と信号電極４との間の電位差は、共に同じ電位差が生じるからである。
【００８７】
以上のように、非選択ラインにおいては、信号電極４がＨ電圧及びＬ電圧のいずれかの電圧であっても、導電性液体１６は移動せずに、静止して、表示面側での表示色は変化しない。
【００８８】
一方、選択ラインにおいては、信号電極４への印加電圧に応じて、上述のように、導電性液体１６を移動させることができ、表示面側での表示色を変更させることができる。
【００８９】
また、画像表示装置１では、表１に示した印加電圧の組み合わせによって、選択ライン上の各画素での表示色は、例えば図５に示すように、各画素に対応する信号電極４への印加電圧に応じて、カラーフィルタ部１１ｒ、１１ｇ、１１ｂによるＣＦ着色（赤色、緑色、あるいは青色）または導電性液体１６による非ＣＦ着色（黒色）となる。また、参照ドライバ８及び走査ドライバ９が、それぞれ参照電極５及び走査電極６の選択ラインを、例えば図５の左から右へ走査動作を行う場合、画像表示装置１の表示部での各画素の表示色もまた同図５の左から右に向かって順次変化することとなる。したがって、参照ドライバ８及び走査ドライバ９による選択ラインの走査動作を高速で行うことにより、画像表示装置１において、表示部での各画素の表示色も高速に変化させることが可能となる。さらに、選択ラインの走査動作に同期させて信号電極４への信号電圧Ｖｄの印加を行うことにより、画像表示装置１では、外部からの画像入力信号に基づいて、動画像を含んだ種々の情報を表示することが可能となる。
【００９０】
また、参照電極５、走査電極６、及び信号電極４への印加電圧の組み合わせは、表１に限定されるものではなく、表２に示すものでもよい。
【００９１】
【表２】
2010113352.tif 000004
【００９２】
すなわち、参照ドライバ８及び走査ドライバ９は、例えば同図の左側から右側に向かう所定の走査方向で、参照電極５及び走査電極６に対して、選択電圧としてＬ電圧（第２の電圧）及びＨ電圧（第１の電圧）をそれぞれ順次印加して選択ラインとする走査動作を行う。また、この選択ラインでは、信号ドライバ７は外部からの画像入力信号に応じて、対応する信号電極４に対して、Ｈ電圧またはＬ電圧を信号電圧Ｖｄとして印加する。
【００９３】
一方、非選択ライン、つまり残り全ての参照電極５及び走査電極６に対しては、参照ドライバ８及び走査ドライバ９は、非選択電圧としてＭ電圧を印加する。
【００９４】
＜選択ラインでの動作＞
選択ラインでは、信号電極４に対して例えばＬ電圧が印加されているときでは、参照電極５と信号電極４との間では、共にＬ電圧が印加されているので、これらの参照電極５と信号電極４との間には、電位差が生じていない。一方、信号電極４と走査電極６との間では、走査電極６に対して、Ｈ電圧が印加されているので、電位差が生じている状態となる。従って、導電性液体１６は、信号電極４に対して、電位差が生じている走査電極６側に表示用空間Ｓの内部を移動する。この結果、導電性液体１６は、図４（ｂ）に例示したように、非有効表示領域Ｐ２側に移動した状態となり、オイル１７を参照電極５側に移動させて、バックライト１８からの照明光がカラーフィルタ部１１ｒに達するのを許容する。これにより、表示面側での表示色は、カラーフィルタ部１１ｒによる赤色表示（ＣＦ着色表示）の状態となる。また、表１に示した場合と同様に、隣接するＲＧＢの３つの全画素において、ＣＦ着色表示が行われたときには、白色表示が行われる。
【００９５】
一方、選択ラインにおいて、信号電極４に対してＨ電圧が印加されているときでは、参照電極５と信号電極４との間では、電位差が生じ、信号電極４と走査電極６との間には、電位差が生じていない。従って、導電性液体１６は、信号電極４に対して、電位差が生じている参照電極５側に表示用空間Ｓの内部を移動する。この結果、導電性液体１６は、図４（ａ）に例示したように、有効表示領域Ｐ１側に移動した状態となり、バックライト１８からの照明光がカラーフィルタ部１１ｒに達するのを阻止する。これにより、表示面側での表示色は、導電性液体１６による黒色表示（非ＣＦ着色表示）の状態となる。
【００９６】
＜非選択ラインでの動作＞
非選択ラインでは、信号電極４に対して例えばＬ電圧が印加されているときでは、導電性液体１６は現状の位置に静止した状態で維持されて、現状の表示色で維持される。すなわち、参照電極５及び走査電極６の双方に対して、Ｍ電圧が印加されているので、参照電極５と信号電極４との間の電位差及び走査電極６と信号電極４との間の電位差は、共に同じ電位差が生じるからである。この結果、表示色は、現状の黒色表示またはＣＦ着色表示から変更されずに維持される。
【００９７】
同様に、非選択ラインにおいて、信号電極４に対してＨ電圧が印加されているときでも、導電性液体１６は現状の位置に静止した状態で維持されて、現状の表示色で維持される。すなわち、参照電極５及び走査電極６の双方に対して、Ｍ電圧が印加されているので、参照電極５と信号電極４との間の電位差及び走査電極６と信号電極４との間の電位差は、共に同じ電位差が生じるからである。
【００９８】
以上のように、表２に示した場合でも、表１に示した場合と同様に、非選択ラインにおいては、信号電極４がＨ電圧及びＬ電圧のいずれかの電圧であっても、導電性液体１６は移動せずに、静止して、表示面側での表示色は変化しない。
【００９９】
一方、選択ラインにおいては、信号電極４への印加電圧に応じて、上述のように、導電性液体１６を移動させることができ、表示面側での表示色を変更させることができる。
【０１００】
また、本実施形態の画像表示装置１では、表１及び表２に示した印加電圧の組み合わせ以外に、信号電極４への印加電圧を、Ｈ電圧またはＬ電圧の２値だけではなく、これらのＨ電圧とＬ電圧との間の電圧を、表示面側に表示される情報に応じて変化させることもできる。すなわち、画像表示装置１では、信号電圧Ｖｄを制御することにより、階調表示が可能となる。これにより、表示性能に優れた表示素子１０を構成することができる。
【０１０１】
次に、図６を用いて、本実施形態の表示素子１０において、信号電極４、参照電極５、及び走査電極６の各電極に対して、電圧の印加が行われている場合と、電圧の印加が行われていない場合とでの動作例について、具体的に説明する。
【０１０２】
図６は上記表示素子の画素領域での動作例を説明する図であり、図６（ａ）は画素領域での電極構成を説明する図であり、図６（ｂ）は各電極に電圧が印加されている場合での導電性液体の状態を説明する図であり、図６（ｃ）は各電極に電圧が印加されていない場合での導電性液体の状態を説明する図である。
【０１０３】
図６（ａ）に示すように、参照電極５及び走査電極６では、導電性液体１６の移動方向とは反対側の端部が多角形状となるように、当該端部にＣカット部５ｃ、５ｄ、６ｃ、６ｄが形成されている。ここで、例えば静止画像を表示するために、信号電極４、参照電極５、及び走査電極６の各電極に対し、電圧の印加が行われると、図６（ｂ）に例示するように、導電性液体１６は走査電極６側に移動する。このとき、図６（ｂ）に示すように、走査電極６では、導電性液体１６の移動方向とは反対側の端部にＣカット部６ｃ、６ｄが形成されているので、導電性液体１６の形状は、走査電極６の形状に沿った形状となる。
【０１０４】
また、例えば上記静止画像を継続的に表示するために、信号電極４、参照電極５、及び走査電極６の各電極に対し、電圧印加の停止が行われると、参照電極５または走査電極６上の導電性液体１６に対し、エレクトロウェッティング現象が作用せずに、導電性液体１６と下部基板３側との界面張力が大きくなる。ところが、図６（ｃ）に例示するように、走査電極６には、電圧が印加されていない場合での導電性液体１６の形状に基づいたＣカット部６ｃ、６ｄが形成されているので、導電性液体１６と下部基板３側との界面張力が大きくなっても、当該導電性液体１６の形状を図６（ｂ）に示したものと同じ形状とすることができる。それゆえ、導電性液体１６が、界面張力変化によって図６（ｃ）の左側（つまり、有効表示領域Ｐ１側）に不必要に移動するのを抑制することができる。
【０１０５】
以上のように構成された本実施形態の表示素子１０では、参照電極５及び走査電極６において、導電性液体１６の移動方向とは反対側の端部が多角形状となるように、当該端部にＣカット部５ｃ、５ｄ、６ｃ、６ｄが形成されている。これにより、本実施形態の表示素子１０では、図６に例示したように、参照電極５に設けたＣカット部５ｃ、５ｄまたは走査電極６に設けたＣカット部６ｃ、６ｄにより、これらの参照電極５及び走査電極６への電圧印加の有無に関わらず、導電性液体１６の形状を同じ形状とすることができる。この結果、本実施形態の表示素子１０では、エレクトロウェッティング現象が作用している場合と、エレクトロウェッティング現象が作用していない場合とにおいて、上記従来例と異なり、導電性液体１６の形状を同じ形状とすることができる。従って、本実施形態では、上記従来例と異なり、消費電力の削減を図ったときでも、導電性液体１６の不必要な移動を抑制することができ、表示品位に優れた表示素子１０を構成することができる。
【０１０６】
また、本実施形態の画像表示装置（電気機器）１では、消費電力の削減を図ったときでも、導電性液体１６の不必要な移動を抑制することができる表示品位に優れた表示素子１０が表示部に用いられているので、優れた表示品位を有する表示部を備えた高性能な画素表示装置（電気機器）１を容易に構成することができる。
【０１０７】
また、本実施形態の表示素子１０では、信号ドライバ（信号電圧印加部）７、参照ドライバ（参照電圧印加部）８、及び走査ドライバ（走査電圧印加部）９が信号電極４、参照電極５、及び走査電極６に対して、信号電圧Ｖｄ、参照電圧Ｖｒ、及び走査電圧Ｖｓを印加するようになっている。これにより、本実施形態では、優れた表示品位を有するマトリクス駆動方式の表示素子１０を容易に構成することができるとともに、各画素領域の表示色を適切に変更することができる。
【０１０８】
尚、上記の説明では、信号電極４、参照電極５、及び走査電極６の全ての各電極に対して、電圧の印加または電圧の印加を停止した場合について説明した。つまり、上記の説明では、本実施形態の表示素子１０を用いて、静止画像を継続的に表示する場合を例示して説明したが、本実施形態の表示素子１０はこれに限定されるものではなく、例えば表１または表２に示したように、上記走査動作において非選択ラインとされた画素でも、図６（ｂ）及び図６（ｃ）に示した効果を奏することができる。
【０１０９】
具体的には、参照電極５及び走査電極６にＭ電圧が印加され、信号電極４にＨ電圧またはＬ電圧が印加された場合でも、本実施形態の表示素子１０では、導電性液体１６の形状が図６（ｂ）に示した状態と同様に、図６（ｃ）に示した状態と同じ形状にて維持される。この結果、本実施形態の表示素子１０では、非選択ラインとされた場合でも、導電性液体１６の不必要な移動を抑制することができる（後掲の図８においても、同様。）。
【０１１０】
［第２の実施形態］
図７は、本発明の第２の実施形態にかかる表示素子において、非表示面側から見た場合での下部基板側の要部構成を示す拡大平面図である。図において、本実施形態と上記第１の実施形態との主な相違点は、上記Ｃカット部の代わりに、参照電極及び走査電極において、導電性液体の移動方向とは反対側の端部が円弧状となるように、当該端部にＲカット部を形成した点である。なお、上記第１の実施形態と共通する要素については、同じ符号を付して、その重複した説明を省略する。
【０１１１】
すなわち、図７に例示するように、本実施形態の表示素子１０では、参照電極５及び走査電極６において、電圧が印加されていない場合での導電性液体１６の形状に基づいて、導電性液体１６の移動方向とは反対側の端部が円弧状となるように、当該端部にＲカット部５ｅ、５ｆ、６ｅ、６ｆが形成されている。具体的には、図７に示すように、参照電極５は、帯状の電極本体５ｂと、各画素領域Ｐに設けられるとともに、同図７の左側の端部に形成されたＲカット部５ｅ、５ｆを備えている。これらのＲカット部５ｅ、５ｆは、図７の左側の端部、つまり導電性液体１６の移動方向とは反対側の端部が円弧状となるように、当該端部に形成されており、各Ｒカット部５ｅ、５ｆでの切欠形状は、電圧が印加されていない場合での導電性液体１６の形状を基に定められたものである。そして、参照電極５では、画素領域Ｐでの形状がＲカット部５ｅ、５ｆを有する半円状の左側の端部と、長方形状の電極本体５ｂとを組み合わせた形状に構成されている。
【０１１２】
同様に、走査電極６は、帯状の電極本体６ｂと、各画素領域Ｐに設けられるとともに、同図７の右側の端部に形成されたＲカット部６ｅ、６ｆを備えている。これらのＲカット部６ｅ、６ｆは、図７の右側の端部、つまり導電性液体１６の移動方向とは反対側の端部が円弧状となるように、当該端部に形成されており、各Ｒカット部６ｅ、６ｆでの切欠形状は、電圧が印加されていない場合での導電性液体１６の形状を基に定められたものである。そして、走査電極６では、画素領域Ｐでの形状がＲカット部６ｅ、６ｆを有する半円状の左側の端部と、長方形状の電極本体６ｂとを組み合わせた形状に構成されている。
【０１１３】
ここで、図８を用いて、本実施形態の表示素子１０において、信号電極４、参照電極５、及び走査電極６の各電極に対して、電圧の印加が行われている場合と、電圧の印加が行われていない場合とでの動作例について、具体的に説明する。
【０１１４】
図８は図７に示した表示素子の画素領域での動作例を説明する図であり、図８（ａ）は画素領域での電極構成を説明する図であり、図８（ｂ）は各電極に電圧が印加されている場合での導電性液体の状態を説明する図であり、図８（ｃ）は各電極に電圧が印加されていない場合での導電性液体の状態を説明する図である。
【０１１５】
図８（ａ）に示すように、参照電極５及び走査電極６では、導電性液体１６の移動方向とは反対側の端部が円弧状となるように、当該端部にＲカット部５ｅ、５ｆ、６ｅ、６ｆが形成されている。ここで、例えば静止画像を表示するために、信号電極４、参照電極５、及び走査電極６の各電極に対し、電圧の印加が行われると、図８（ｂ）に例示するように、導電性液体１６は走査電極６側に移動する。このとき、図８（ｂ）に示すように、走査電極６では、導電性液体１６の移動方向とは反対側の端部にＲカット部６ｅ、６ｆが形成されているので、導電性液体１６の形状は、走査電極６の形状に沿った形状となる。
【０１１６】
また、例えば上記静止画像を継続的に表示するために、信号電極４、参照電極５、及び走査電極６の各電極に対し、電圧印加の停止が行われると、参照電極５または走査電極６上の導電性液体１６に対し、エレクトロウェッティング現象が作用せずに、導電性液体１６と下部基板３側との界面張力が大きくなる。ところが、図８（ｃ）に例示するように、走査電極６には、電圧が印加されていない場合での導電性液体１６の形状に基づいたＲカット部６ｅ、６ｆが形成されているので、導電性液体１６と下部基板３側との界面張力が大きくなっても、当該導電性液体１６の形状を図８（ｂ）に示したものと同じ形状とすることができる。それゆえ、導電性液体１６が、界面張力変化によって図８（ｃ）の左側（つまり、有効表示領域Ｐ１側）に不必要に移動するのを抑制することができる。
【０１１７】
以上の構成により、本実施形態では、上記第１の実施形態と同様な作用・効果を奏することができる。また、本実施形態では、図８に例示したように、参照電極５に設けたＲカット部５ｅ、５ｆまたは走査電極６に設けたＲカット部６ｅ、６ｆにより、これらの参照電極５及び走査電極６への電圧印加の有無に関わらず、導電性液体１６の形状を同じ形状とすることができる。
【０１１８】
さらに、本実施形態の表示素子１０では、第１の実施形態のものに比べて、導電性液体１６の不必要な移動をより効果的に抑制することができる。すなわち、参照電極５及び走査電極６に電圧が印加されていない場合において、導電性液体１６は、上述したように、界面張力変化によって球状の形状に変化する。それ故、第１の実施形態でのＣカット部５ｃ、５ｄ、６ｃ、６ｄに比べて、Ｒカット部５ｅ、５ｆ、６ｅ、６ｆの方が、界面張力が大きい場合での導電性液体１６の形状に合致させ易くなり、導電性液体１６の不必要な移動をより効果的に抑制することができる。
【０１１９】
［第３の実施形態］
図９は本発明の第３の実施形態にかかる表示素子において、表示面側から見た場合での上部基板側の要部構成を示す拡大平面図であり、図１０は本発明の第３の実施形態にかかる表示素子において、非表示面側から見た場合での下部基板側の要部構成を示す拡大平面図である。図において、本実施形態と上記第１の実施形態との主な相違点は、表示面側でハニカム配列となるように、複数の画素領域を設置した点である。なお、上記第１の実施形態と共通する要素については、同じ符号を付して、その重複した説明を省略する。
【０１２０】
すなわち、図９に例示するように、本実施形態の表示素子１０では、複数の画素領域Ｐが表示面側でハニカム配列となるように設置されている。具体的にいえば、本実施形態の表示素子１０では、複数の各画素領域Ｐにおいて、その全体形状が六角形状に構成されている。そして、本実施形態の表示素子１０では、図９に示すように、同図９の中央部に設けられた４個の画素領域Ｐにおいて、隣接する２つの画素領域Ｐの間に、同図９の左側及び右側に設けられた画素領域Ｐの端部が密接するように配置されている。
【０１２１】
言い換えれば、本実施形態の表示素子１０では、第１の実施形態のものと異なり、複数の各画素領域Ｐは、図９の左右方向での端部が三角形状に構成されており、画素領域Ｐは、三角形状の端部どうしが互いに密接するように、設置されている。そして、本実施形態の表示素子１０では、Ｘ方向で隣接する２つの画素領域Ｐは、隙間を設けることなく、上記三角形状の端部がＹ方向で直線状に配列されるように設置されている。また、以上のように画素領域Ｐの形状を構成することにより、本実施形態の表示素子１０では、第１の実施形態のものに比べて、画素領域Ｐでの有効表示領域Ｐ１の割合を容易に大きくすることができる（詳細は後述。）。
【０１２２】
また、本実施形態の表示素子１０では、図９に示すように、信号電極４は、画素領域Ｐのハニカム配列に応じた形状に構成されている。すなわち、信号電極４には、画素領域ＰのＹ方向での中央部を通るように設けられた直線部分４ｂと、隣接する２つの画素領域Ｐの間に設けられた傾斜部分４ｃ、４ｄとが設けられている。
【０１２３】
また、本実施形態の表示素子１０では、図１０に示すように、リブ１４ａが、画素領域Ｐのハニカム配列に応じた形状に構成されている。すなわち、リブ１４ａは、上記三角形状の端部の２つの斜辺にそれぞれ対応するように設けられたリブ１４ａ１、１４ａ２を備えている。
【０１２４】
ここで、図１１を用いて、本実施形態の表示素子１０でのハニカム配列の効果について具体的に説明する。
【０１２５】
図１１は図９に示した表示素子でのハニカム配列の効果を説明する図であり、図１１（ａ）は図２に示した表示素子での画素領域の平面図であり、図１１（ｂ）は図９に示した表示素子での画素領域の平面図である。
【０１２６】
図１１（ａ）に示すように、第１の実施形態での画素領域Ｐでは、その全体形状が矩形状に構成されている。一方、図１１（ｂ）に示すように、本実施形態の画素領域Ｐでは、その全体形状が六角形状に構成されている。すなわち、本実施形態では、図９に例示したように、複数の画素領域Ｐがハニカム配列となるように設置されているので、各画素領域Ｐの全体形状は図１１（ｂ）の左右方向での端部を三角形状とした上記六角形状とされている。
【０１２７】
また、図１１（ａ）及び図１１（ｂ）において、各画素領域Ｐでは、有効表示領域Ｐ１の面積は同一である。これに対して、各画素領域Ｐでの全体的な面積は、第１の実施形態のものに比べて、本実施形態のものが小さい面積とされている。すなわち、本実施形態の画素領域Ｐでは、上記左右方向での端部の形状が三角形状とされているので、非有効表示領域Ｐ２の面積ひいては全体的な面積は第１の実施形態のものより小さくなるよう構成されている。この結果、本実施形態では、第１の実施形態のものに比べて、画素領域Ｐでの有効表示領域Ｐ１の割合を容易に大きくすることができる。言い換えれば、本実施形態では、画素領域Ｐでの各カラーフィルタ部（開口部）１１ｒ、１１ｇ、１１ｂの割合を容易に大きくすることができるので、各画素での開口率を容易に向上させることが可能となる。
【０１２８】
以上の構成により、本実施形態では、上記第１の実施形態と同様な作用・効果を奏することができる。また、本実施形態では、図１１に示したように、第１の実施形態のものに比べて、画素領域Ｐでの有効表示領域Ｐ１の割合を容易に大きくすることができる。
【０１２９】
［第４の実施形態］
図１２は、本発明の第４の実施形態にかかる表示素子において、非表示面側から見た場合での下部基板側の要部構成を示す拡大平面図である。図において、本実施形態と上記第３の実施形態との主な相違点は、上記Ｃカット部の代わりに、参照電極及び走査電極において、導電性液体の移動方向とは反対側の端部が円弧状となるように、当該端部にＲカット部を形成した点である。なお、上記第３の実施形態と共通する要素については、同じ符号を付して、その重複した説明を省略する。
【０１３０】
すなわち、図１２に示すように、本実施形態の表示素子１０では、参照電極５及び走査電極６において、導電性液体１６の移動方向とは反対側の端部が円弧状となるように、当該端部にＲカット部５ｅ、５ｆ、６ｅ、６ｆが形成されている。これらの各Ｒカット部５ｅ、５ｆ、６ｅ、６ｆでは、第２の実施形態と同様に、切欠形状は、電圧が印加されていない場合での導電性液体１６の形状に基づいて、定められている。
【０１３１】
以上の構成により、本実施形態では、上記第３の実施形態と同様な作用・効果を奏することができる。また、本実施形態では、第２の実施形態と同様に、参照電極５に設けたＲカット部５ｅ、５ｆまたは走査電極６に設けたＲカット部６ｅ、６ｆにより、これらの参照電極５及び走査電極６への電圧印加の有無に関わらず、導電性液体１６の形状を同じ形状とすることができる。
【０１３２】
さらに、本実施形態の表示素子１０では、第２の実施形態と同様に、第３の実施形態のものに比べて、導電性液体１６の不必要な移動をより効果的に抑制することができる。
【０１３３】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【０１３４】
例えば、上記の説明では、カラー画像表示を表示可能な表示部を備えた画像表示装置に本発明を適用した場合について説明したが、本発明は文字及び画像を含んだ情報を表示する表示部が設けられた電気機器であれば何等限定されるものではなく、例えば電子手帳等のＰＤＡなどの携帯情報端末、パソコンやテレビなどに付随する表示装置、あるいは電子ペーパーその他、各種表示部を備えた電気機器に好適に用いることができる。
【０１３５】
また、上記の説明では、導電性液体への電界印加に応じて、当該導電性液体を移動させるエレクトロウェッティング方式の表示素子を構成した場合について説明したが、本発明の表示素子は、これに限定されるものではなく、外部電界を利用して、表示用空間の内部で導電性液体を動作させることにより、表示面側の表示色を変更可能な電界誘導型の表示素子であれば何等限定されるものではなく、電気浸透方式、電気泳動方式、誘電泳動方式などの他の方式の電界誘導型表示素子に適用することができる。
【０１３６】
但し、上記各実施形態のように、エレクトロウェッティング方式の表示素子を構成する場合の方が、導電性液体を低い駆動電圧で高速に移動させることが可能となる。しかも、３つの電極を設けて、導電性液体をスライド移動させているので、導電性液体の形状を変化させるものに比べて、表示面側の表示色の切換速度の高速化及び省力化を容易に図ることができる。また、エレクトロウェッティング方式の表示素子では、導電性液体の移動に応じて表示色が変更されるので、液晶表示装置等と異なり、視野角依存性がない点でも好ましい。さらには、画素毎にスイッチング素子を設ける必要がないので、構造簡単で高性能なマトリクス駆動方式の表示素子を低コストで構成できる点でも好ましい。しかも、液晶層などの複屈折材料を用いていないので、情報表示に使用される、バックライトからの光や外光の光利用効率に優れた高輝度な表示素子を容易に構成できる点でも好ましい。
【０１３７】
また、上記第１及び第３の各実施形態の説明では、Ｃカット部を参照電極及び走査電極に設けた場合について説明した。また、上記第２及び第４の各実施形態の説明では、Ｒカット部を参照電極及び走査電極に設けた場合について説明した。しかしながら、本発明の表示素子はこれに限定されるものではなく、参照電極及び走査電極において、導電性液体の移動方向とは反対側の端部を切り欠いたものであればよい。
【０１３８】
但し、上記の各実施形態のように、参照電極及び走査電極では、電圧が印加されていない場合での導電性液体の形状に基づいて、導電性液体の移動方向とは反対側の端部が切り欠かれている場合の方が、参照電極及び走査電極への電圧印加の有無に関わらず、導電性液体の形状をより確実に同じ形状とすることができ、当該導電性液体の移動をより確実に抑制することができる点で好ましい。
【０１３９】
また、上記の説明では、バックライトを備えた透過型の表示素子を構成した場合について説明したが、本発明はこれに限定されるものではなく、拡散反射板などの光反射部を有する反射型や、前記光反射部とバックライトとを併用した半透過型の表示素子にも適用することができる。
【０１４０】
また、上記の説明では、信号電極を上部基板（第１の基板）側に設けるとともに、参照電極及び走査電極を下部基板（第２の基板）側に設けた場合について説明した。しかしながら、本発明は、導電性液体と接触するように、表示用空間の内部に信号電極を設置し、かつ、導電性液体及び互いに電気的に絶縁された状態で、参照電極及び走査電極を第１及び第２の基板の一方側に設けるものであればよい。具体的にいえば、例えば信号電極を第２の基板側やリブ上に設けるとともに、参照電極及び走査電極を第１の基板側に設けてもよい。
【０１４１】
また、上記の説明では、参照電極及び走査電極を有効表示領域側及び非有効表示領域側にそれぞれ設置した場合について説明したが、本発明はこれに限定されるものではなく、参照電極及び走査電極を非有効表示領域側及び有効表示領域側にそれぞれ設置してもよい。
【０１４２】
また、上記の説明では、参照電極及び走査電極を下部基板（第２の基板）の表示面側の表面に設けた場合について説明したが、本発明はこれに限定されるものではなく、絶縁材料からなる上記第２の基板の内部に埋設した参照電極及び走査電極を用いることもできる。このように構成した場合には、第２の基板を誘電体層として兼用させることができ、当該誘電体層の設置を省略することができる。さらに、誘電体層を兼用した第１及び第２の基板上に信号電極を直接的に設け、表示用空間の内部に当該信号電極を設置する構成でもよい。
【０１４３】
また、上記の説明では、透明な電極材料を用いて参照電極及び走査電極を構成した場合について説明したが、本発明は参照電極及び走査電極のうち、画素の有効表示領域に対向するように設置される一方の電極だけを透明な電極材料によって構成すればよく、有効表示領域に対向されない他方の電極には、アルミニウム、銀、クロム、その他の金属などの不透明な電極材料を使用することができる。
【０１４４】
また、上記の説明では、帯状の参照電極及び走査電極を用いた場合について説明したが、本発明の参照電極及び走査電極の各形状はこれに何等限定されない。例えば透過型に比べて、情報表示に用いられる光の利用効率が低下する反射型の表示素子では、線状や網状などの光ロスが生じ難い形状としてもよい。
【０１４５】
また、上記の説明では、信号電極に線状配線を用いた場合について説明したが、本発明の信号電極はこれに限定されるものではなく、網状配線などの他の形状に形成された配線も使用することができる。
【０１４６】
但し、上記の各実施形態のように、透明な透明電極が用いられた参照電極及び走査電極の透過率を用いて、信号電極の形状を定める場合の方が、不透明な材料を使用して信号電極を構成したときでも、当該信号電極の影が表示面側に現れるのを防ぐことができ、表示品位が低下するのを抑えることができる点で好ましく、さらには線状配線を用いた場合には、上記表示品位の低下を確実に抑えることができる点でより好ましい。
【０１４７】
また、上記の説明では、塩化カリウムの水溶液を導電性液体に用いるとともに、金、銀、銅、白金、及びパラジウムの少なくとも一つを用いて、信号電極を構成した場合について説明したが、本発明は表示用空間の内部に設置されて、導電性液体と接触する信号電極に、当該導電性液体に対して電気化学的に不活性な材料を用いたものであれば何等限定されない。具体的にいえば、導電性液体には、塩化亜鉛、水酸化カリウム、水酸化ナトリウム、アルカリ金属水酸化物、酸化亜鉛、塩化ナトリウム、リチウム塩、リン酸、アルカリ金属炭酸塩、酸素イオン伝導性を有するセラミックスなどの電解質を含んだものを使用することができる。また、溶媒には、水以外に、アルコール、アセトン、ホルムアミド、エチレングリコールなどの有機溶媒を使用することもできる。さらに、本発明の導電性液体には、ピリジン系、脂環族アミン系、または脂肪族アミン系などの陽イオンと、フッ化物イオンやトリフラート等のフッ素系などの陰イオンとを含んだイオン液体（常温溶融塩）を使用することもできる。
【０１４８】
但し、上記の各実施形態のように、所定の電解質を溶かした水溶液を導電性液体に使用する場合の方が、取扱性に優れるとともに、製造が簡単な表示素子を容易に構成することができる点で好ましい。
【０１４９】
また、本発明の信号電極には、例えばアルミニウム、ニッケル、鉄、コバルト、クロム、チタン、タンタル、ニオブあるいはそれらの合金などの導電性を有する金属を用いた電極本体と、この電極本体の表面を覆うように設けられた酸化被膜とを備えた不動態を使用することができる。
【０１５０】
但し、上記の各実施形態のように、金、銀、銅、白金、及びパラジウムの少なくとも一つを信号電極に用いる場合の方が、イオン化傾向の小さい金属を使用することとなり、当該電極の簡略化を図りつつ、導電性液体との間での電気化学反応を確実に防ぐことが可能となって信頼性の低下が防がれた長寿命な表示素子を容易に構成することができる点で好ましい。また、イオン化傾向の小さい金属は導電性液体との間の界面に生じる界面張力を比較的小さくすることができることから、導電性液体を移動させないときでは、その固定位置で当該導電性液体を安定した状態で容易に保持できる点でも好ましい。
【０１５１】
また、上記の説明では、無極性のオイルを用いた場合について説明したが、本発明はこれに限定されるものではなく、導電性液体と混じり合わない絶縁性流体であればよく、例えばオイルに代えて、空気を使用してもよい。また、オイルとして、シリコーンオイル、脂肪系炭化水素などを使用することができる。
【０１５２】
但し、上記の各実施形態のように、導電性液体と相溶性がない無極性のオイルを用いた場合の方が、空気と導電性液体とを用いる場合よりは、無極性のオイル中で導電性液体の液滴がより移動し易くなって、当該導電性液体を高速移動させることが可能となり、表示色を高速に切り換えられる点で好ましい。
【０１５３】
また、上記の説明では、黒色に着色された導電性液体及びカラーフィルタ層を用いて、ＲＧＢの各色の画素を表示面側に設けた場合について説明したが、本発明はこれに限定されるものではなく、複数の画素領域が、表示面側でフルカラー表示が可能な複数の色に応じてそれぞれ設けられているものであればよい。具体的には、ＲＧＢ、シアン（Ｃ）、マゼンタ（Ｍ）、及びイエロー（Ｙ）のＣＭＹ、またはＲＧＢＹＣなどに着色された複数色の導電性液体を用いることもできる。
【０１５４】
また、上記の説明では、カラーフィルタ層を上部基板（第１の基板）の非表示面側の表面に形成した場合について説明したが、本発明はこれに限定されるものではなく、第１の基板の表示面側の表面や下部基板（第２の基板）側にカラーフィルタ層を設置することもできる。このように、カラーフィルタ層を用いる場合の方が、複数色の導電性液体を用意する場合に比べて、製造簡単な表示素子を容易に構成できる点で好ましい。また、このカラーフィルタ層に含まれたカラーフィルタ部（開口部）及びブラックマトリクス部（遮光膜）により、表示用空間に対し、有効表示領域及び非有効表示領域をそれぞれ適切に、かつ、確実に設定することができる点でも好ましい。
【０１５５】
また、上記の説明では、開口部の開口形状（有効表示領域の形状）を、五角形の形状とした場合について説明したが、本発明の表示素子は何等これに限定されるものではなく、例えば矩形状の開口形状としてもよい。
【０１５６】
但し、上記の各実施形態のように、開口部の開口形状は、参照電極及び走査電極のうち、有効表示領域側に設けられた一方の電極の形状に基づいて、決定されている場合の方が、当該一方の電極の形状に基づき開口形状を決定していない場合に比べて、上記遮光膜での開口部の開口形状を適切に決定することができる点で好ましい。
【産業上の利用可能性】
【０１５７】
本発明は、消費電力の削減を図ったときでも、導電性液体の不必要な移動を抑制することができる表示品位に優れた表示素子、及びこれを用いた電気機器に対して有用である。
【符号の説明】
【０１５８】
１  画像表示装置（電気機器）
２  上部基板（第１の基板）
３  下部基板（第２の基板）
４  信号電極
５  参照電極
５ｃ、５ｄ  Ｃカット部
５ｅ、５ｆ  Ｒカット部
６  走査電極
６ｃ、６ｄ  Ｃカット部
６ｅ、６ｆ  Ｒカット部
７  信号ドライバ（信号電圧印加部）
８  参照ドライバ（参照電圧印加部）
９  走査ドライバ（走査電圧印加部）
１０  表示素子
１１  カラーフィルタ層
１１ｒ、１１ｇ、１１ｂ  カラーフィルタ部（開口部）
１１ｓ  ブラックマトリクス部（遮光膜）
１３  誘電体層
１４、１４ａ、１４ｂ、１４ａ１、１４ａ２  リブ（仕切壁）
１６  導電性液体
１７  オイル（絶縁性流体）
Ｓ  表示用空間
Ｐ  画素領域
Ｐ１  有効表示領域
Ｐ２  非有効表示領域
【図１】
2010113352.tif 000005
【図２】
2010113352.tif 000006
【図３】
2010113352.tif 000007
【図４】
2010113352.tif 000008
【図５】
2010113352.tif 000009
【図６】
2010113352.tif 000010
【図７】
2010113352.tif 000011
【図８】
2010113352.tif 000012
【図９】
2010113352.tif 000013
【図１０】
2010113352.tif 000014
【図１１】
2010113352.tif 000015
【図１２】
2010113352.tif 000016
【国際調査報告】
2010113352.tif 000017
2010113352.tif 000018